【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
焦点距離可変の撮影光学系による撮影が可能な撮影状態と、上記撮影光学系を収納させる収納状態と、上記撮影状態と上記収納状態の間の移行状態とを有するズームレンズ鏡筒で、上記撮影光学系の少なくとも一部を支持する被駆動部材に設けたカムフォロアをカム環の周面に形成したカム溝に係合させ、該被駆動部材とカム環との相対回転に従って被駆動部材を上記撮影光学系の光軸方向に前後移動させる進退カム機構において、
カム環に、同一の基礎軌跡を有する前後一対のカム溝を光軸方向に位置を異ならせて形成するとともに、前方カム溝の前方一部と後方カム溝の後方一部が存在しないように短尺として各カム溝をカム環端面に開口させたこと；
被駆動部材に、上記前方カム溝と後方カム溝にそれぞれ係合する前後一対のカムフォロアを光軸方向に位置を異ならせて形成したこと；
被駆動部材の前方移動端では、前方カムフォロアが前方カム溝から外れて後方カム溝と後方カムフォロアのみが係合し、後方移動端では、後方カムフォロアが後方カム溝から外れて前方カム溝と前方カムフォロアのみが係合すること；
前方カム溝と後方カム溝のそれぞれに、対応するカムフォロアを精密に案内する通常溝幅領域と該通常溝幅領域より幅広の幅広領域を設けたこと；
上記撮影状態で、上記前方カムフォロアと上記後方カムフォロアの一方が対応するカム溝の上記通常溝幅領域に位置し、他方が対応するカム溝の上記通常溝幅領域の外に位置すること；及び
上記移行状態で、上記前方カムフォロアと上記後方カムフォロアの両方が対応するカム溝の上記通常溝幅領域の外に位置し、かつ該前方カムフォロアと後方カムフォロアの少なくとも一方が対応するカム溝の上記幅広領域に位置すること；
を特徴とするズームレンズ鏡筒の進退カム機構。
【請求項２】
請求項１記載のズームレンズ鏡筒の進退カム機構において、上記収納状態で、上記前方カムフォロアと上記後方カムフォロアの両方が対応するカム溝の上記幅広領域に位置するズームレンズ鏡筒の進退カム機構。
【請求項３】
請求項１記載のズームレンズ鏡筒の進退カム機構において、上記収納状態で、上記前方カムフォロアと上記後方カムフォロアの一方が対応するカム溝の通常溝幅領域に位置し、他方が上記カム環端面の開口を通して対応するカム溝から外れるズームレンズ鏡筒の進退カム機構。
【請求項４】
請求項１ないし３のいずれか１項記載のズームレンズ鏡筒の進退カム機構において、
カム環に、上記前方カム溝と後方カム溝を１グループとする、複数のカム溝グループを周方向に位置を異ならせて形成し、
被駆動部材に、上記前方カムフォロアと後方カムフォロアを１グループとする、複数のカムフォロアグループを周方向に位置を異ならせて形成したズームレンズ鏡筒の進退カム機構。
【請求項５】
請求項１ないし４のいずれか１項記載のズームレンズ鏡筒の進退カム機構において、前方カム溝と後方カム溝のそれぞれにおける上記撮影状態でのカムフォロア通過領域の途中に上記通常溝幅領域と幅広領域の境界部が位置し、上記撮影状態では、上記前方カムフォロアと上記後方カムフォロアがそれぞれ対応するカム溝の上記境界部で停止しないように、上記カム環がステップワイズに回転駆動されるズームレンズ鏡筒の進退カム機構。
【請求項６】
請求項１ないし５のいずれか１項記載のズームレンズ鏡筒の進退カム機構において、上記前方カム溝と後方カム溝のカム環端面への開口部が上記幅広領域によって形成されているズームレンズ鏡筒の進退カム機構。
【請求項７】
請求項１ないし６のいずれか１項記載のズームレンズ鏡筒の進退カム機構において、上記カム環に、上記前方カム溝及び後方カム溝とは光軸方向及び周方向に位置を異ならせて、該前方カム溝と後方カム溝と同一の基礎軌跡を有する補助カム溝を有するズームレンズ鏡筒の進退カム機構。
【請求項８】
請求項７項記載のズームレンズ鏡筒の進退カム機構において、上記カム環の周面上に、上記基礎軌跡が通りながら上記前方カム溝または後方カム溝が存在しないカム溝欠如部分が存在し、該カム溝欠如部分に上記カムフォロアが位置するとき、該カムフォロアとは別の補助カムフォロアが上記補助カム溝に係合するズームレンズ鏡筒の進退カム機構。
【請求項９】
請求項８記載のズームレンズ鏡筒の進退カム機構において、上記補助カム溝は上記前方カム溝または後方カム溝との交差領域を有し、該前方カム溝または後方カム溝に係合するカムフォロアが補助カム溝との交差領域を通るとき、上記補助カムフォロアとは別の第２の補助カムフォロアを係合させてガイドする第２の補助カム溝をカム環上に有するズームレンズ鏡筒の進退カム機構。
【手続補正２】
【補正対象書類名】明細書
【補正対象項目名】発明の名称
【補正方法】変更
【補正の内容】
【発明の名称】ズームレンズ鏡筒の進退カム機構
【手続補正３】
【補正対象書類名】明細書
【補正対象項目名】０００１
【補正方法】変更
【補正の内容】
【０００１】
本発明はズームレンズ鏡筒の進退カム機構に関する。
【手続補正４】
【補正対象書類名】明細書
【補正対象項目名】０００３
【補正方法】変更
【補正の内容】
【０００３】
ズームレンズ鏡筒における進退カム機構では、安定性確保の観点から、撮影光軸を囲む周方向に位置を異ならせて複数のカム溝とカムフォロアを備えることが多い。例えば、特許文献１の発明を適用して、周方向に位置を異ならせて３箇所設けたそれぞれのカム溝を基礎軌跡同一の前後２つの部分カム溝により構成した場合、カム環の周面上には少なくとも６本の部分カム溝が存在することになる。そして、直進移動環には、これら６本の部分カム溝に係合可能な６つのカムフォロアが設けられる。ところで、特許文献１の進退カム機構では、前方移動端と後方移動端の中間位置に直進移動環が位置するときに、前後で対をなすカムフォロアが対応する前後の部分カム溝に対して同時に係合する可能性を排除していないため、上記の例では、６つのカムフォロアが６つの部分カム溝に対して同時に係合している状態が生じ得る。一般に、カム機構においては、同時に係合するカム溝とカムフォロアの数が多くなるほど、全体的な精度管理が難しくなる。すなわち、カム機構において精密な移動を行わせるためには係合関係にある個々のカム溝とカムフォロアの嵌合精度を高めればよいが、そうすると、他のカム溝及びカムフォロアとの間での相対的な精度誤差の許容量が少なくなる。その一方で、特許文献１の進退カム機構では、一部のカムフォロアが対応の部分カム溝から外れた状態でも残る部分カム溝とカムフォロアの間でガタなどの不具合を生じないように、個々の部分カム溝とカムフォロアの係合精度は厳密であることが要求される。つまり、個々のカム溝とカムフォロアでの嵌合精度を高めつつ、前後で対をなすカム溝及びカムフォロア相互での精度管理は容易にしたいという、相反する要求があった。そこで本発明は、光軸方向位置の異なる前後の部分カム溝を用いてカム環の光軸方向長さの短縮を図りつつ、カム溝とカムフォロアに関する精度管理の容易さと、精密な案内性能とを両立させたズームレンズ鏡筒の進退カム機構を提供することを目的とする。
【手続補正５】
【補正対象書類名】明細書
【補正対象項目名】０００４
【補正方法】変更
【補正の内容】
【０００４】
本発明は、焦点距離可変の撮影光学系による撮影が可能な撮影状態と、撮影光学系を収納させる収納状態と、撮影状態と収納状態の間の移行状態とを有するズームレンズ鏡筒を構成する進退カム機構に関するものである。進退カム機構は、カム溝を周面に有するカム環と、カム溝に係合するカムフォロアを有しカム環に対して光軸方向に相対移動可能に支持された、撮影光学系の少なくとも一部を支持する被駆動部材とを有し、該被駆動部材とカム環との相対回転に従って被駆動部材を撮影光学系の光軸方向に前後移動させる。そして本発明は、カム環に、同一の基礎軌跡を有する前後一対のカム溝を光軸方向に位置を異ならせて形成するとともに、前方カム溝の前方一部と後方カム溝の後方一部が存在しないように短尺として各カム溝をカム環端面に開口させたこと、被駆動部材に、前方カム溝と後方カム溝にそれぞれ係合する前後一対のカムフォロアを光軸方向に位置を異ならせて形成したこと、被駆動部材の前方移動端では、前方カムフォロアが前方カム溝から外れて後方カム溝と後方カムフォロアのみが係合し、後方移動端では、後方カムフォロアが後方カム溝から外れて前方カム溝と前方カムフォロアのみが係合すること、前方カム溝と後方カム溝のそれぞれに、対応するカムフォロアを精密に案内する通常溝幅領域と該通常溝幅領域より幅広の幅広領域を設けたこと、撮影状態で、前方カムフォロアと後方カムフォロアの一方が対応するカム溝の通常溝幅領域に位置し、他方が対応するカム溝の通常溝幅領域の外に位置すること、撮影状態と収納状態の間の移行状態で、前方カムフォロアと後方カムフォロアの両方が対応するカム溝の通常溝幅領域の外に位置し、かつその少なくとも一方が対応するカム溝の幅広領域に位置することを特徴としている。
【手続補正６】
【補正対象書類名】明細書
【補正対象項目名】０００５
【補正方法】変更
【補正の内容】
【０００５】
収納状態では、前方カムフォロアと後方カムフォロアの両方が対応するカム溝の幅広領域に位置するようにすることができる。あるいは、収納状態で、前方カムフォロアと後方カムフォロアの一方が対応するカム溝の通常溝幅領域に位置し、他方がカム環端面の開口を通して対応するカム溝から外れるように構成してもよい。
【手続補正７】
【補正対象書類名】明細書
【補正対象項目名】０００６
【補正方法】変更
【補正の内容】
【０００６】
カム環には、前方カム溝と後方カム溝を１グループとする、複数のカム溝グループを周方向に位置を異ならせて形成し、被駆動部材に、前方カムフォロアと後方カムフォロアを１グループとする、複数のカムフォロアグループを周方向に位置を異ならせて形成すると、被駆動部材の偏心を抑制して支持精度を高めることができる。
【手続補正８】
【補正対象書類名】明細書
【補正対象項目名】０００７
【補正方法】変更
【補正の内容】
【０００７】
前方カム溝と後方カム溝のそれぞれにおける撮影状態でのカムフォロア通過領域の途中に通常溝幅領域と幅広領域の境界部が位置し、撮影状態では、前方カムフォロアと後方カムフォロアがそれぞれ対応するカム溝の境界部で停止しないように、カム環をステップワイズに回転駆動するとよい。また、前方カム溝や後方カム溝におけるカム環端面への開口部を幅広領域によって形成することが好ましい。これにより、カム溝外に離脱した状態のカムフォロアをスムーズにカム溝内へ進入させることができる。
【手続補正９】
【補正対象書類名】明細書
【補正対象項目名】００４０
【補正方法】変更
【補正の内容】
【００４０】
さらにテレ端方向へ向けて図１０の位置までカム環２９が回転されると、前方カムフォロアＮＦが前方カム溝ＣＦ内の幅広領域ＣＦ-Ｍに接近し、後方カムフォロアＮＲが後方カム溝ＣＲ内の通常溝幅領域ＣＲ-Ｇに接近する。そして、図１０の位置からさらにテレ端方向にカム環２９が回転されると、図１１に示すように、前方カムフォロアＮＦが通常溝幅領域ＣＦ-Ｇから幅広領域ＣＦ-Ｍ内に移動されて、前方カム溝ＣＦに対して前方カムフォロアＮＦが遊嵌した状態になる。一方、後方カムフォロアＮＲは、幅広領域ＣＲ-Ｍから出て通常溝幅領域ＣＲ-Ｇに係合して、後方カム溝ＣＲに対するガタが除去された状態になる。これにより、２群レンズ移動枠３２に対する実質的な位置制御が、通常溝幅領域ＣＲ-Ｇで係合する後方カム溝ＣＲと後方カムフォロアＮＲによって行われるようになる。つまり、２群レンズ移動枠３２の位置制御の主体が、前方カム溝ＣＦ側から後方カム溝ＣＲ側に切り替わっている。この切り替えが滑らかに行われるように、前方カム溝ＣＦと後方カム溝ＣＲにはそれぞれ、通常溝幅領域ＣＦ-Ｇ、ＣＲ-Ｇと幅広領域ＣＦ-Ｍ、ＣＲ-Ｍの間に、溝幅を徐々に変化させる幅移行部（幅徐変部）ＣＦ-Ｖ、ＣＲ-Ｖを備えている。また、ズームレンズ鏡筒１０はワイド端からテレ端までの間にカム環２９を停止させる複数の焦点距離ステップを有しているが、通常溝幅領域ＣＦ-Ｇ、ＣＲ-Ｇと幅広領域ＣＦ-Ｍ、ＣＲ-Ｍの境界である幅移行部ＣＦ-Ｖ、ＣＲ-Ｖは焦点距離ステップとして使用しない（カムフォロアＮＦ、ＮＲを停止させない）ようにカム環２９の停止位置が設定されている。そのため、カム溝の溝幅が途中で変化していても、撮影性能に実質的な影響は及ばない。
【手続補正１０】
【補正対象書類名】明細書
【補正対象項目名】００４２
【補正方法】変更
【補正の内容】
【００４２】
以上のように本実施形態の進退カム機構では、前方カム溝ＣＦと後方カム溝ＣＲにそれぞれ通常溝幅領域ＣＦ-Ｇ、ＣＲ-Ｇと幅広領域ＣＦ-Ｍ、ＣＲ-Ｍを設けて溝幅に変化を持たせ、撮影状態（ズーム撮影域）において一方のカム溝の通常溝幅領域に対してカムフォロアが係合しているとき、他方のカム溝では幅広領域にカムフォロアが遊嵌している、もしくは他方のカム溝からカムフォロアが離脱しているように構成されている。すなわち、前後で対をなす前方カム溝ＣＦと後方カム溝ＣＲ（前方カムフォロアＮＦと後方カムフォロアＮＲ）を備えつつ、２群レンズ移動枠３２に対する実質的で精密な位置制御を行うのは常にそのいずれか一方である。このように構成することで、前方カム溝ＣＦと後方カム溝ＣＲ（前方カムフォロアＮＦと後方カムフォロアＮＲ）の両方で同時相互的に厳密な精度管理を行う必要がなくなり、個々のカム溝（通常溝幅領域）とカムフォロアによる案内精度を高めつつ、カム機構全体としての精度管理を容易にすることができる。
【手続補正１１】
【補正対象書類名】明細書
【補正対象項目名】００４４
【補正方法】変更
【補正の内容】
【００４４】
図７に示すように、前方カム溝ＣＦは、収容用領域を含む終端部（第４領域Ｑ４）から基礎軌跡Ｑの変曲点ＱＰの近傍に至るまでが幅広領域ＣＦ-Ｍとして形成されており、それよりも先が通常溝幅領域ＣＦ-Ｇとして形成されている。この幅広領域ＣＦ-Ｍと通常溝幅領域ＣＦ-Ｇの間には、前述したズーム領域ＣＦ-Ｚ内の幅移行部ＣＦ-Ｖと同様に、溝幅を徐々に変化させる幅移行部ＣＦ-Ｖが形成されている。図７の収納状態からカム環２９が繰り出し方向に回転されると、後方カムフォロアＮＲが、後方開口部Ｒ３を通して後方カム溝ＣＲの後方に離脱する。この間、前方カムフォロアＮＦは前方カム溝ＣＦの幅広領域ＣＦ-Ｍ内を移動し続けるため、前後のカムフォロアＮＦ、ＮＲがいずれも対応するカム溝ＣＦ、ＣＲの通常溝幅領域ＣＦ-Ｇ、ＣＲ-Ｇに係合しない（通常溝幅領域ＣＦ-Ｇ、ＣＲ-Ｇの外に位置する）状態が続く。但し、この状態はズームレンズ鏡筒１０の収納状態からズーム領域への移行の途中で生じるものであり、この間は撮影が行われないため、撮影性能に実質的な影響を及ぼすことはない。そして、図８に示すワイド端撮影状態になる前には、前方カムフォロアＮＦが前方カム溝ＣＦの通常溝幅領域ＣＦ-Ｇに係合されて、再び精密な位置制御がなされる。
【手続補正１２】
【補正対象書類名】図面
【補正対象項目名】図６
【補正方法】変更
【補正の内容】
【図６】
2009186529.tif 000001
【手続補正１３】
【補正対象書類名】図面
【補正対象項目名】図１２
【補正方法】変更
【補正の内容】
【図１２】
2009186529.tif 000002
【手続補正１４】
【補正対象書類名】図面
【補正対象項目名】図１４
【補正方法】変更
【補正の内容】
【図１４】
2009186529.tif 000003
【手続補正１５】
【補正対象書類名】図面
【補正対象項目名】図１５
【補正方法】変更
【補正の内容】
【図１５】
2009186529.tif 000004
【手続補正１６】
【補正対象書類名】図面
【補正対象項目名】図１６
【補正方法】変更
【補正の内容】
【図１６】
2009186529.tif 000005